(57)【特許請求の範囲】
【請求項１】
出版物を含む複写物を複写して複写画像を取得する複写機及び出版物に含まれる画像と、当該出版物の書誌情報とを対応付けて記憶された記憶装置が接続された画像検索装置を含む複写管理システムであって、
所定のページ内の一部の画像を示す複写画像を複数保管する保管手段と、
前記保管手段により保管された複数の複写画像の中から同一の複写画像をグループ化して、当該グループ化された複数の複写画像の中から一の代表画像を決定するグループ化手段と、
前記記憶装置に記憶された出版物に含まれる画像から、前記代表画像を検索する検索手段と、
前記検索手段で検索された出版物に含まれる画像に対応付けられた出版物の書誌情報を取得して、前記複写機における前記代表画像のグループに属する複写画像の複写利用回数を、該グループに属する複写画像数から特定する複写画像特定手段と、
を有することを特徴とする複写管理システム。
【請求項２】
前記記憶装置は、
出版物に含まれる画像の一部である部分画像と、当該出版物の書誌情報とを対応付けて記憶し、
前記画像検索装置の前記検索手段は、
前記記憶装置に記憶された前記部分画像から、複写された複写画像を検索し、
前記複写画像特定手段は、
前記検索手段により検索された前記部分画像に対応付けられた出版物の書誌情報を取得して、前記複写された複写画像を特定すること、
を特徴とする請求項１に記載の複写管理システム。
【請求項３】
前記グループ化手段は、前記保管手段により保管された複数の複写画像において、複写画像と、当該複写画像の部分画像とを、同一グループに属する複写画像としてグループ化すること、
を特徴とする請求項１に記載の複写管理システム。
【請求項４】
出版物を含む複写物を複写して複写画像を取得する複写機及び出版物に含まれる画像と、当該出版物の書誌情報とを対応付けて記憶された記憶装置が接続された画像検索装置を含む複写管理システムにおける複写管理方法であって、
所定のページ内の一部の画像を示す複写画像を複数保管する保管手順と、
前記保管手順により保管された複数の複写画像の中から同一の複写画像をグループ化して、当該グループ化された複数の複写画像の中から一の代表画像を決定するグループ化手順と、
前記記憶装置に記憶された出版物に含まれる画像から、前記代表画像を検索する検索手順と、
前記検索手順で検索された出版物に含まれる画像に対応付けられた出版物の書誌情報を取得して、前記複写機における前記代表画像のグループに属する複写画像の複写利用回数を、該グループに属する複写画像数から特定する複写画像特定手順と、
を有することを特徴とする複写管理方法。
【請求項５】
前記記憶装置は、
出版物に含まれる画像の一部である部分画像と、当該出版物の書誌情報とを対応付けて記憶し、
前記画像検索装置の前記検索手順は、
前記記憶装置に記憶された前記部分画像から、複写された複写画像を検索し、
前記複写画像特定手順は、
前記検索手順により検索された前記部分画像に対応付けられた出版物の書誌情報を取得して、前記複写された複写画像を特定すること、
を特徴とする請求項４に記載の複写管理方法。
【請求項６】
前記グループ化手順は、前記保管手順により保管された複数の複写画像において、複写画像と、当該複写画像の部分画像とを、同一グループに属する複写画像としてグループ化すること、
を特徴とする請求項４に記載の複写管理方法。
【請求項７】
請求項４ないし６何れか一項に記載の複写管理方法をコンピュータに実行させるためのプログラム。
【発明の詳細な説明】
【技術分野】
【０００１】
本発明は、複写管理システム、複写管理方法及びプログラムの分野に関する。
【背景技術】
【０００２】
一般に、利用者が著作物を利用する場合、著作物使用料として著作権者に相当の対価を支払うことになるが、利用者及び著作権者間において、個別に使用許諾の契約や対価額の設定を行うことには困難を伴う。そこで、このような著作物に関わる業務を代行する団体として、著作権管理団体が存在する。著作権管理団体は、著作物を管理する団体で、例えば、著作物に対するライセンスを利用者に与えたり、また著作物を利用する利用者(個人や団体含む)から著作権者（著作権保有者）への著作権使用料を徴収する、といった著作物に関わる業務を著作権者に代行して行っている。
【０００３】
例えば、著作権に係る出版物を複写する場合、利用者は著作権管理団体を通して、その著作物の使用料を著作権者に支払う。ここで、使用料の支払い方法が個別許諾や包括許諾実額方式の場合は、使用される出版物自体が明確であるため、著作権管理団体から著作権者に著作物使用料としてその対価を分配するに際し、特に問題は生じない。
【０００４】
一方、使用料の支払い方法が、ある一の出版物を特定して行う個別許諾ではなく、ある程度大きな範囲、分野の著作出版物群をまとめて包括的に使用許諾する、といった包括許諾（定額調査方式、簡易方式ともいわれる）である場合、使用された出版物自体を特定するのは実に困難である。従って、著作権管理団体は、どの出版物、どの著作者のものが使用されたのかを明らかにするため、現在、業種別等にいくつかの企業の協力を得ながら実態調査を行っている。そして、その実体調査に基づいて分配のための資料を作成し、これに基づいて著作権者に著作物使用料として、その対価の分配を行っている。
【０００５】
しかし、この実態調査は、特定の期間に特定の企業の複写の状態のみの調査に留まっており、この方法によっては、どの出版物がどれだけの回数を複写されたのかなど、正確にその使用状況（使用実績）の全容を明らかにすることは困難である。そのため、実態調査により特定された使用状況に応じて著作権者に対価の分配を行う場合、必ずしも著作物の使用状況の実体が、対価に反映されていない場合もある。
【０００６】
従来、著作物の使用状況を明らかにするため、電子透かしを利用して複写した出版物（例えば書籍）を特定するという提案もなされている。しかし、出版物は非常に数が多い中において、出版時に全ての出版物に対して情報の埋め込みを行う作業が必要であり、また既に出版されてしまった過去の出版物の特定は難しい。
【０００７】
そこでこれに関する技術として、特許文献１には、著作物の複写を管理する目的で、著作物を複写する際に利用者は画像形成装置でＩＳＢＮ番号などの著作物特定情報を入力し、この著作物特定情報を著作権管理団体に通知することで複写した枚数を使用実績データとして管理する旨記載されている。この使用実績データによれば、どの出版物がどれだけの回数を複写されたのかが明らかになるので、実態調査により特定された使用状況に応じて著作権者に対価の分配を行う場合、著作物の使用状況の実体を対価に反映させることができる。また、出版時に全ての出版物に対して情報の埋め込みを行う作業もなく、また既に出版されてしまった過去の出版物の特定も可能である。
【発明の概要】
【発明が解決しようとする課題】
【０００８】
ここで、出版物の複写形態を鑑みれば、書籍の見開きの複写や、ページ一部のみの複写、拡大・縮小コピーなど、様々な複写形態があり、また同一書籍（共同著作物等）の中でも、ページごとに権利保有者が異なることもある。従って、出版物の複写形態において、著作物の使用状況の実体をより正確に把握するためには、出版物単位だけではなく、どの出版物の、どのページが、どれだけの回数だけ使用されたか正確に特定されることが望まれる。そして、著作物の使用状況の実体が正確に把握できれば、つまりどの出版物のどのページがどれだけの回数を複写されたのかが明らかになれば、著作権管理団体が使用状況に応じて著作権者に対価の分配を行う場合、著作権者に対してより適切な対価の支払いを行うことができるようになる。
【０００９】
従ってこのような観点からすると上記の従来技術においては、特に出版物のページ毎における使用（複写）状況を把握・管理することは容易でなかった。またさらに従来技術においては、出版物から一旦複写された複写原稿からさらなる複写がなされた場合（間接複写）、間接複写原稿にはもはや電子透かし情報やＩＳＢＮ番号の情報は付されておらず、著作物の使用状況をカウントすることは不可能である。
【００１０】
そこで本発明では上記のような問題に鑑みて、出版物の複写利用に際し、どの出版物の、どのページが、どれだけの回数だけ複写されたか等、出版物の使用実績を特定する複写管理システム、複写管理方法及びプログラムを提供することを目的とする。
【課題を解決するための手段】
【００１１】
上記課題を解決するため、本発明に係る複写管理システムは、複写機、記憶装置及び画像検索装置を含み構成され、前記複写機により複写された複写画像と、前記記憶装置に記憶され前記画像検索装置により検索された画像とを照合して、前記複写機により複写された複写画像を特定する複写管理システムであって、前記複写機は、出版物を含む複写物を複写して、複写画像を取得する複写手段を有し、前記記憶装置は、出版物に含まれる画像と、当該出版物の書誌情報とを対応付けて記憶した記憶手段を有し、前記画像検索装置は、前記記憶手段に記憶された出版物に含まれる画像から、前記複写手段により複写された複写画像を検索する検索手段と、前記検索手段により検索された出版物に含まれる画像に対応付けられた出版物の書誌情報を取得して、前記複写手段により複写された複写画像を特定する複写画像特定手段とを有する。
【００１２】
また上記課題を解決するため、前記複写管理システムは、前記記憶装置の前記記憶手段は、出版物に含まれる画像の一部である部分画像と、当該出版物の書誌情報とを対応付けて記憶し、前記画像検索装置の前記検索手段は、前記記憶手段に記憶された前記部分画像から、前記複写手段により複写された複写画像を検索し、前記複写画像特定手段は、前記検索手段により検索された前記部分画像に対応付けられた出版物の書誌情報を取得して、前記複写手段により複写された複写画像を特定する。
【００１３】
また上記課題を解決するため、前記複写管理システムは、前記複写機は、前記複写手段により取得された複写画像を複数保管する保管手段と、前記保管手段により保管された複数の複写画像の中から同一の複写画像をグループ化して、グループ化された複数の複写画像の中から代表画像を決定するグループ化手段とを有し、前記画像検索装置の前記検索手段は、前記複写画像に代えて前記代表画像を、前記記憶手段に記憶された出版物に含まれる画像から検索する。
【００１４】
また上記課題を解決するため、前記複写管理システムは、前記グループ化手段は、前記保管手段により保管された複数の複写画像において、複写画像と、当該複写画像の部分画像とを、同一グループに属する複写画像としてグループ化する。
【００１５】
なお、本発明の構成要素、表現または構成要素の任意の組合せを、方法、装置、システム、コンピュータプログラム、記録媒体、などに適用したものも本発明の態様として有効である。
【発明の効果】
【００１６】
本発明によれば、出版物の複写利用に際し、どの出版物の、どのページが、どれだけの回数だけ複写されたか等、出版物の使用実績を特定する複写管理システム、複写管理方法及びプログラムを提供することができる。
【図面の簡単な説明】
【００１７】
【図１】本発明に係る一実施形態における基本的な複写管理システム構成図の一例である。
【図２】実施形態に係る複写管理システム１００及び著作出版物の利用に関わる関係者を説明する図である。
【図３】本実施形態１に係る複写管理システム１００の主要機能構成を示す機能ブロック図である。
【図４】原本画像と書誌情報の関連付けの一例を示す。
【図５】原本画像の特徴量と書誌情報の関連付けの一例を示す。
【図６】本実施形態２に係る複写管理システム１００−２の主要機能構成を示す機能ブロック図である。
【図７】本実施形態３に係る複写管理システム１００−３の主要機能構成を示す機能ブロック図である。
【図８】複写画像のグルーピングを例示的に説明する図である。
【図９】本実施形態４に係る複写管理システム１００−４の主要機能構成を示す機能ブロック図である。
【発明を実施するための形態】
【００１８】
以下、本発明を実施するための形態を各実施形態において図面を用いて説明する。また本明細書では、例えば書籍に代表されるような、著作権に関わる出版物を「著作出版物」と呼ぶこととする。この「著作出版物」は、複写機等により複写可能な著作物である。
【００１９】
[システム概要]
はじめに、具体的な実施形態を説明する前に、本発明を実施するにあたって、一実施形態としてのシステム概要について説明する。図１は、本発明に係る一実施形態における基本的な複写管理システム構成図の一例である。図に示されるように、複写管理システム１００は、複写機１、画像検索装置２、著作出版物ＤＢ（Data Base）作成装置３、及び著作出版物ＤＢ４を含み構成され、各装置はネットワークを介して接続される。
【００２０】
複写機１は、いわゆるコピー機であり、著作出版物を含む複写物をコピーする装置である。なおここでいうコピーは、原稿から紙媒体への複写、原稿から電子ファイルへの電子化を含む概念である。画像検索装置２は、著作出版物を特定する装置であり、複写機１により複写された複写物の画像と、著作出版物ＤＢ４内に格納された著作出版物の画像とを照合することにより、著作出版物の特定を行う。著作出版物の特定とは、具体的には、著作出版物の書誌情報、またその著作出版物の複写されたページが特定される。ここで書誌情報は、例えば、著作出版物のタイトル、著者、出版社、出版日、著作権者等、ＩＳＢＮ（International Standard Book Number）番号などを含む。著作出版物ＤＢ作成装置３は、著作出版物ＤＢ４を作成する装置である。著作出版物の出版時等において、当該著作出版物の書誌情報及び全ページ画像を著作出版物ＤＢ４に登録する。なお、著作出版物ＤＢ作成装置３及び著作出版物ＤＢ４は、記憶装置といった同一装置内に構築されてもよい。
【００２１】
このように、複写管理システム１００においては、著作出版物ＤＢ作成装置３で、予め利用者が複写を行う前に、予め著作出版物を特定するための著作出版物情報を作成し、著作出版物ＤＢ４に保存しておく。利用者（個人、団体、企業等）が複写機１で複写物の複写を行うと、複写機１からその複写物の画像が画像検索装置２に送信される。画像検索装置２は、予め作成してあった著作出版物ＤＢ４内から、送信されてきた複写物の画像を検索する。つまり、著作出版物ＤＢ４内の情報と複写物の画像とが照合され、照合の結果、複写物が著作出版物である場合、当該著作出版物が特定される。以下、各実施形態においてより具体的に説明していく。
【００２２】
[実施形態１]
図２は、実施形態に係る複写管理システム１００及び著作出版物の利用に関わる関係者を説明する図である。図２では、図１に示される複写管理システム１００（但し著作出版物ＤＢ作成装置３は省略）に加えて、著作出版物の利用に関わる関係者が図示されている。ここで登場する関係者は、著作出版物を利用する利用者、著作物を管理する著作権管理団体、及び当該著作出版物の著作権者である。
【００２３】
上述したように、一般に、利用者が著作物を利用する場合、著作権者に相当の対価を支払うことになるが、利用者及び著作権者間において、個別に使用許諾や対価額の設定を行うことには困難を伴う。そこで、著作権管理団体は、著作物に対するライセンスを利用者に与えたり、また著作物を利用する利用者から著作権者（著作権保有者）への著作権使用料を徴収する、といった著作物に関わる業務を著作権者に代行して行う。
【００２４】
本実施形態においては、利用者が複写機１を用いて著作出版物を複写する場合、利用者は著作権管理団体を通して、その著作物の使用料を著作権者に支払う。ここで、利用者と著作権管理団体は、著作出版物の使用（複写）に関し、使用許諾契約を結んでいる。そして本実施形態における使用許諾契約方法は、ある一の出版物を特定しての個別使用許諾ではなく、ある程度大きな範囲、分野の著作出版物群をまとめて包括的に使用許諾する、といったいわば不特定な包括使用許諾契約（定額調査方式、簡易方式ともいわれる）である。従って、著作権管理団体は、複数の著作出版物（群）の使用を考慮し、その使用料を包括的に算定している。そして利用者は、算定された使用料を著作権管理団体に対して予め（又は事後的に）支払う。支払われた使用料は、著作物使用料として、著作出版物の使用実績に応じ各著作権者に分配される。なおこの使用実績は、後述する本実施形態に係る複写管理システム１００により算定されることになる。
【００２５】
図２に示されるステップに沿って、本実施形態１に係る著作出版物の利用から使用料の分配までの、複写管理システム１００による情報処理及び関係者アクションの流れを説明していく。
【００２６】
まず著作権者は、著作出版物の出版に際して、著作出版物の原本画像（全ページ分）、書誌情報（タイトル、著者、出版社、出版日、著作権者、ＩＳＢＮ番号等）などを、著作出版物ＤＢ作成装置３（非図示）を介して、著作出版物ＤＢ４に登録する（Ｓ２００１）。ここで、原本画像と書誌情報とは対応付けられて著作出版物ＤＢ４に登録される。
【００２７】
なお、近年殆どの場合、著作出版物のオリジナル原本はもともと電子化されたもの（電子データ）であるため、それほど登録の手間は要しないと考えられる。また出版印刷時に用いた電子データなどを利用することもできる。またここで、必ずしも著作権者により登録作業がなされる必要はなく、例えば、出版社や著作物管理団体によって登録されることもできる。
【００２８】
次いで利用者は著作出版物の利用に際し、例えば、著作権管理団体と、ある程度大きな範囲、分野の著作出版物群をまとめて包括的に使用するといった契約を行い、著作出版物の使用料を包括で支払う（Ｓ２００２）。
【００２９】
契約後、利用者は実際に複写機１を用いて、著作出版物の複写利用を行う（Ｓ２００３）。複写は、紙への複写のほか、ＰＤＦ（Portable Document Format）やＴＩＦ（Tagged Image File Format）などの画像に変換して、ファイルサーバへの蓄積、メール配信なども含む。
【００３０】
複写機１は、複写に伴い、複写された著作出版物の画像データ（複写画像という）を画像検索装置２に送信すると（Ｓ２００４）、画像検索装置２は、著作出版物ＤＢ４にアクセスし、複写機１から送信された複写画像を著作出版物ＤＢ４から検索する（Ｓ２００５）。また言い換えれば、画像検索装置２は、複写機１から送信された複写画像と著作出版物ＤＢ４の著作出版物の原本画像とを比較（照合）する。そして、該当する原本画像が検索された場合、原本画像に対応付けられている著作出版物の書誌情報が併せて特定される。つまり、複写画像が著作出版物ＤＢ４から検索されると、複写機１により複写利用された著作出版物の書誌情報や複写利用ページが特定されることになる。
【００３１】
そして画像検索装置２により特定された情報は、使用実績（情報）として著作権管理団体に通知される（Ｓ２００６）。通知は、都度、又は一定期間毎になされてもよい。また通知される使用実績の内容として、例えば、ＩＳＢＮ番号（著作出版物が特定される）、著作権者、複写利用ページ、複写回数等の情報が、著作権管理団体に通知される。勿論、通知される使用実績の内容は必要に応じて任意に定めることができる。
【００３２】
著作権管理団体は、画像検索装置２から通知された使用実績（いわば複写利用の実績）に基づき、各々の著作権者への著作物使用料の額を決定する。そして著作権管理団体は、利用者によって包括的に支払われた使用料の中から、決定された額の著作物使用料を各々の著作権者へ分配する。
【００３３】
このように、本実施形態に係る複写管理システム１００よれば、複写機１により複写利用された著作出版物の、少なくとも著作権者、複写利用ページ、その利用回数が特定されるので、著作権管理団体は、利用者によって包括的に支払われた使用料の中から、複写利用の実績に応じて、適切に著作物使用料を各々の著作権者へ分配することができる。
【００３４】
なお、利用者からの著作物使用料は包括的契約によるもの（Ｓ２００２）としたのは、現在主に採用されている契約の実態・慣習に沿ったもので、必ずしもこれに限定する意図はなく、例えば、著作権管理団体は、使用実績の情報が通知されてから（Ｓ２００６）、その使用実績に応じて利用者に著作権利用料を請求することも可能である。この場合、利用実績に応じて著作物使用料が支払われるので、より適切な使用料の授受が可能となる。
【００３５】
なお、著作出版物から一旦複写された複写原稿から、さらなる複写利用がなされた場合（間接複写）、この場合もまた著作出版物の利用に該当するので、やはり同様に、複写機１により複写利用された著作出版物の、少なくとも著作権者、複写利用ページ、その利用回数が特定できる。
【００３６】
（複写管理システムの機能）
図３は、本実施形態１に係る複写管理システム１００の主要機能構成を示す機能ブロック図である。これまで説明してきた本実施形態は、複写機１、画像検索装置２、著作出版物ＤＢ作成装置３、著作出版物ＤＢ４を含む構成により実現されるが、各装置において、次のような主要機能により実現される。つまり、複写管理システム１００において、複写機１は、複写部１０１を含み、画像検索装置２は、画像検索部２０１、画像特定部２０２を含む構成である。以下、簡単に説明する。
【００３７】
複写部１０１は、著作出版物を含む複写物を複写（コピー）し、また複写画像を取得する機能を有している。
【００３８】
画像検索部２０１は、著作出版物ＤＢ４に記憶された出版物に含まれる画像（原本画像）から、複写部１０１により複写された複写画像を検索する機能を有している。画像検索方法としては、まずマッチングしようとする二の画像から抽象化された特徴量をそれぞれ抽出（算出）し、その特徴量を比較する。そして、比較の結果、二の画像の特徴量の類似度（例えば距離）に応じて、二の画像の同一又は非同一の判定を、つまり画像のマッチングを行うことができる。つまり画像検索部２０１は、複写画像から特徴量を抽出し、著作出版物ＤＢ４内の原本画像の特徴量との比較を行うことで、高速に画像の検索を行なうようになっている。なお、本実施形態においては、公知の画像マッチング技術を画像検索部２０１に採用することができるので、詳細な説明は省略する。
【００３９】
画像特定部２０２は、画像検索部２０１により検索された出版物に含まれる画像に対応付けられた出版物の書誌情報を取得して、複写部１０１により複写された複写画像を特定する機能を有している。具体的に、複写画像のＩＳＢＮ番号（著作出版物が特定される）、著作権者、複写利用ページ等が特定され、また一定期間情報が蓄積される場合、その複写回数の情報が特定される。
【００４０】
また、上述したように、著作出版物ＤＢ作成装置３は、著作出版物の出版時等において、当該著作出版物の書誌情報及び全ページの画像を著作出版物ＤＢ４に登録する。また、著作出版物ＤＢ４には、出版物に含まれる画像と、当該出版物の書誌情報とは対応付けて登録される。また、出版物に含まれる画像（原本画像）は、高速な画像検索に備えて予めその特徴量が抽出される。
【００４１】
図４は、原本画像と書誌情報の関連付けの一例を示す。図に示されるように、著作出版物ＤＢ４においては、著作出版物の全ページの原本画像（画像ファイル）と書誌情報とが関連付けられて登録される。またページによっては、著作権者や作者が異なる場合もありうる。また、図５は、原本画像の特徴量と書誌情報の関連付けの一例を示す。高速な画像検索を実現するため、上述したように、著作出版物ＤＢ４では、原本画像から抽象化された特徴量をそれぞれ抽出（算出）し、その特徴量と書誌情報の関連付けがなされてある。従って、画像検索部２０１は、著作出版物ＤＢ４から複写部１０１により複写された複写画像を検索する際、特徴量による画像検索を行うことで高速な画像検索を行なうことができる。なお、図５の特徴量は多次元（ｎ次元）による特徴量が算出されたものであるが、必ずしもこれに限られず特徴量は適宜のものが抽出されうる。
【００４２】
なおこれらの機能は、実際には各装置のＣＰＵが実行するプログラムにより各コンピュータに実現させるものである。
【００４３】
[実施形態２]
次に、本実施形態２について説明する。ここで、複写利用の複写形態を鑑みれば、出版物や書籍のあるページ内の一部のみの複写、またその拡大・縮小コピーなどの複写形態があり、必ずしもあるページ全体が複写されるとは限らない。例えば、複写形態において、ある著作出版物のｘページに掲載されている、ある一部分のみが複写利用されるというケースも想定されるが、この場合であっても著作出版物は利用されており、当然ながら著作物使用料が発生しうる。従って、本実施形態においては、このような複写利用の複写形態、つまり著作出版物の部分利用という複写形態に鑑みて、複写された任意の部分画像から著作出版物を特定できるようにするものである。どの出版物の、どのページのどの部分が、どれだけの回数だけ使用されたか正確に特定されれば、著作出版物の使用状況の実体が正確に把握でき、ひいては著作権管理団体は、著作出版物の使用状況に応じて著作権者に適切な対価の支払いを行うことができる。
【００４４】
次に、本実施形態２に係る複写管理システム１００−２について説明する。図６は、本実施形態２に係る複写管理システム１００−２の主要機能構成を示す機能ブロック図である。本実施形態２の複写管理システム１００−２は、複写機１、画像検索装置２、著作出版物ＤＢ作成装置３、著作出版物ＤＢ４−２を含む構成により実現される。上述の実施形態１（図３）と比較し、著作出版物ＤＢ４−２の点で異なっている。
【００４５】
まず実施形態１と同様に、著作出版物ＤＢ作成装置３は、著作出版物の出版時等において、当該著作出版物の書誌情報及び全ページの画像を著作出版物ＤＢ４−２に登録する。また、著作出版物ＤＢ４−２には、出版物に含まれる画像と、当該出版物の書誌情報とは対応付けて登録される。また、出版物に含まれる画像（原本画像）は、画像検索に備えて、原本画像の任意の一部画像についての特徴量が抽出される。
【００４６】
さらに著作出版物ＤＢ４−２では、原本画像の部分画像の特徴量からの画像検索を高速に行うためのインデックス（検索索引）を作成し、これを登録する。この場合、著作出版物ＤＢ４−２は、任意の部分画像からの画像検索（画像照合）のためのインデックスを含む。このように、本実施形態における複写管理システム１００−２は、任意の部分画像からの画像検索（画像照合）のためのインデックスとしての著作出版物ＤＢ４−２を備え、画像検索部２０１は、著作出版物ＤＢ４のインデックスから、複写部１０１により複写された複写画像を検索する。つまり、画像検索部２０１は、複写利用された部分画像の特徴抽出を行ない、部分画像から抽出した特徴量に近いインデックスを、著作出版物ＤＢ４−２から抽出する。そして、多次元の特徴量（図５のｎ次元）においてヒストグラム等により確からしいインデックスを特定することで、複写利用された部分画像を含む原本画像、ひいては、著作出版物、またその書誌情報を特定する。
【００４７】
ところで、上述の部分画像からの画像検索技術は、例えば次の文献が詳しい。ＤＢには予め電子文書が格納されており、ユーザは携帯電話付属のカメラで紙文書の一部を撮影し画像を取得すると、撮影画像に基づいて画像検索装置により該当する電子文書が検索されるものである。これら文献に記載される画像検索技術（ＭＭＲ（Mixed Media Reality）技術という）を本実施形態の複写管理システム１００−２に適用すれば、複写画像の「任意」の一部画像からでも該当する原本画像を検索でき、また一部画像の原本画像における位置／箇所を含めて特定することができる（ある一ページ内でまで複数の著作権者が存在する場合、有用である）。
（１）特開２００６−１０７４９５号公報
（２）ジョナサン  ハル、バーナ  エロル、ジェイミー  グラハム、シーファ  ク、岸  秀信、ホーヘ  マラレダ、ダニエル  バン  オルスト「ミックスド・メディア・リアリティ（ＭＭＲ）：紙と電子世界をつなぐ新しい方法」、リコーテクニカルレポート、Ｎｏ３３、２００７年１２月、
http://www.ricoh.co.jp/about/business_overview/report/33/pdf/A3314.pdf
また、検索を行なう場合の高速化を実現するための技術として、例えば次の文献が詳しい。この文献記載の技術では、動的にオブジェクトを挿入することができることを前提としつつ、検索速度を高速度化する。このため、空間データを登録し、登録された空間データについて予め木構造をなすＭ−ｔｒｅｅ形式の空間インデックスを生成しておき、ユーザが指定した空間データに類似する空間データを、空間インデックスを利用して検索する。この場合、空間インデックスの木構造を構成する各ノードの領域を下位に存在するすべての空間データを包含する領域とすることで、各ノード領域間のオーバーラップを削除し、検索速度を高速化する。
（３）特開２００７−０７３０６３号公報
このように、本実施形態においては、上記の部分画像検索技術を利用することで、複写が著作出版物の一部分のみ複写されたり、拡大や縮小で複写された際、画像検索部２０１は、任意の部分画像（複写部分画像）から、原本画像の検索（照合）が可能となるので、当該部分画像に基づいて、複写利用された著作出版物、及びその書誌情報等の特定を行うことができる。また上述の実施形態と同様に、本実施形態に係る複写管理システム１００−２より、複写機１により複写利用された著作出版物の、少なくとも著作権者、複写利用ページ（部分画像を含む）、その利用回数が特定されるので、上述の実施形態と同様、著作権管理団体は、利用者によって包括的に支払われた使用料の中から、複写利用の実績に応じて、適切に著作物使用料を各々の著作権者へ分配することができる。勿論、上述の実施形態と同様に、例えば、著作権管理団体は、使用実績の情報が通知されてから、その利用実績に応じて利用者に著作権利用料を請求することも可能である。この場合、利用実績に応じて著作物使用料が支払われるので、より適切な使用料の授受が可能となる。
【００４８】
なお、著作出版物から一旦複写された複写部分原稿から、さらなる複写利用がなされた場合（間接複写）、この場合もまた著作出版物の利用に該当するので、やはり同様に、複写機１により複写利用された著作出版物の、少なくとも著作権者、複写利用ページ、その利用回数が特定できる。
【００４９】
[実施形態３]
次に、本実施形態３について説明する。上述の実施形態においては、複写機１が著作出版物を含む複写物を複写（コピー）し複写画像を取得すると、複写画像は画像検索装置２に送信されていた。ここで、著作出版物は非常に膨大で、ある調べによれば流通している著作出版物の数は約１５０万以上とも言われている中、複写利用の都度、複写画像が画像検索装置２に送信され、画像検索装置２により著作出版物ＤＢ４へのアクセスがなされ、著作出版物の特定を行うとすると、処理の負荷の問題が生じることになる。従って本実施形態においては、システムの負荷を軽減するため、複写機１は複写利用された複写画像を一定期間保管し、保管された複写画像の中から同一の画像をまとめてグルーピングを行う。そして複写機１は、グルーピングされた同一画像群の中から、一の代表画像だけを画像検索装置２に送信すれば、画像検索装置２における画像検索回数を削減できるのでシステム負荷を軽減させることができる。以下説明を行う。
【００５０】
本実施形態３に係る複写管理システム１００−３について説明する。図７は、本実施形態３に係る複写管理システム１００−３の主要機能構成を示す機能ブロック図である。本実施形態３の複写管理システム１００−３は、複写機１、画像検索装置２、著作出版物ＤＢ作成装置３、著作出版物ＤＢ４−２を含む構成により実現される。上述の実施形態２（図６）と比較し、特に本実施形態３の複写機１は、複写部１０１に加え、保管部１０２及びグループ化部１０３を含む。以下、複写機１の保管部１０２及びグループ化部１０３について詳しく説明を行う。
【００５１】
保管部１０２は、複写部１０１により取得された複写画像を複数保管する機能を有している。つまり複写機１において著作出版物が複写利用されると、複写画像は一旦この保管部１０２に保管される。
【００５２】
ここで、この保管部１０２に保管される複写画像は、著作出版物のあるページ全体の画像、及びあるページの一部分の画像を含む。複写利用の複写形態を鑑みれば、出版物や書籍の見開きの複写や、あるページ内の一部のみの複写、拡大・縮小コピーなどの複写形態があり、必ずしもあるページ全体が複写されるとは限らないからである。
【００５３】
グループ化部１０３は、保管部１０２により保管された複数の複写画像の中から同一の複写画像をグループ化して、グループ化された複数の複写画像の中から代表画像を決定する機能を有している。つまり保管部１０２により保管された複数の複写画像の中から同一の複写画像のグループ化を行う。同一グループ内では、同一の複写画像がグルーピングされているので、一のグループから一の複写画像をそのグループの代表画像として決定する。複写画像のグループ化方法としては、様々な方法を適用しうるが、例えば上述の特徴量を利用した画像マッチング技術を適用することができる。画像マッチングにより同一と判断された複写画像同士を同一のグループに属する画像であるとしてグループ化を行う。
【００５４】
図８は、複写画像のグルーピングを例示的に説明する図である。保管部１０２には、複写画像Ａ１〜３、Ｂ１、２、Ｃ１が保管されている。ここでＡ１〜３、Ｂ１、２、Ｃ１（部分画像）は、利用者によりそれぞれ同一の著作出版物から複写利用された複写画像である。そして、グループ化部１０３により、同一の複写画像がグループ化されると、図８に示されるようなグループＡ、グループＢ、グループＣにグルーピングされる。また各グループから一の代表画像が決定される。例えば、グループＡにおいて代表画像はＡ１（Ａ２又はＡ３でも可）、グループＢにおいて代表画像はＢ１（Ｂ２でも可）、グループＣにおいて代表画像はＣ１となる。
【００５５】
複写機１は、複写利用都度、複写画像を画像検索装置２に送信せずに一定期間保管しておく。そして一定期間経過毎（例えば一日毎）や複写画像の一定量蓄積毎（例えば１０００枚毎、１ＧＢ毎）等に、グルーピングされた複写画像の中から、一グループにつき一の代表画像を画像検索装置２に送信する。なお、送信に際し、複写機１は画像検索装置２に、代表画像とともにその代表画像のグループに属する複写画像の画像数を併せて送信しておく。複写利用回数を特定するためである。
【００５６】
複写画像が送信されると、画像検索装置２（画像検索部２０１）は、著作出版物ＤＢ４に記憶された出版物に含まれる画像から、複写部１０１から送信された代表画像を検索する。なお検索の際は、実施形態２と同様の如く上述のＭＭＲ技術を利用することにより、代表画像が著作出版物のあるページの一部分の画像、つまり部分画像であっても、対応する著作出版物を特定できるようになっている。
【００５７】
そして代表画像から、複写機１により複写利用された著作出版物の、少なくとも著作権者、複写利用ページが特定され、またその代表画像のグループに属する複写画像の画像数により著作出版物の利用回数が特定される（グループに属する複写画像の画像数＝著作出版物の利用回数）。このため、上述の実施形態と同様、著作権管理団体は、利用者によって包括的に支払われた使用料の中から、複写利用の実績に応じて、適切に著作物使用料を各々の著作権者へ分配することができる。勿論、上述の実施形態と同様に、例えば、著作権管理団体は、使用実績の情報が通知されてから、その利用実績に応じて利用者に著作権利用料を請求することも可能である。この場合、利用実績に応じて著作物使用料が支払われるので、より適切な使用料の授受が可能となる。
【００５８】
このように本実施形態によれば、複写機１は複写利用された複写画像を一定期間保管し、保管された複写画像の中から同一の画像をまとめてグルーピングを行い、またグルーピングされた同一画像群の中から、一の代表画像（及びその同一画像数）だけを画像検索装置２に送信するので、画像検索装置２における画像検索回数を削減でき、複写管理システムとしての負荷を軽減させることができる。
【００５９】
なお、本実施形態３の複写機１は、あくまで一例として、複写部１０１、保管部１０２及びグループ化部１０３を含む構成として説明したが、言うまでもなく、保管部１０２及びグループ化部１０３の機能は複写機１の外に構成することも可能である。
【００６０】
[実施形態４]
次に、本実施形態４について説明する。本実施形態は、上述の実施形態３のいわば変形例であり、より具体的にはグルーピング方法の変形例である。システムの負荷を軽減することを目的として、複写機１は複写利用された複写画像を一定期間保管し、保管された複写画像の中から同一の画像をまとめてグルーピングがなされる。ここで本実施形態４においては、保管された複写画像から上述のＭＭＲ技術を利用してインデックスが作成されており、このインデックスを利用することにより保管された複写画像の中から同一の画像のグルーピングを行う。
【００６１】
図９は、本実施形態４に係る複写管理システム１００−４の主要機能構成を示す機能ブロック図である。本実施形態３の複写管理システム１００−４は、複写機１、画像検索装置２、著作出版物ＤＢ作成装置３、著作出版物ＤＢ４−２を含む構成により実現される。上述の実施形態３（図７）と比較し、特に本実施形態４の複写機１は、保管部１０２−２及びグループ化部１０３−２の点で異なる。以下、複写機１の保管部１０２−２及びグループ化部１０３−２について説明を行う。
【００６２】
保管部１０２−２は、複写部１０１により取得された複写画像を複数保管する。つまり複写機１において著作出版物が複写利用されると、複写画像は一旦この保管部１０２−２に保管される。また上述のＭＭＲ技術を利用して、複写画像の任意の一部画像についての特徴量が抽出される。さらに保管部１０２−２では、複写画像の部分画像の特徴量からの画像検索を高速に行うためのインデックスを作成しこれを登録する。
【００６３】
グループ化部１０３−２は、保管部１０２−２により保管された複数の複写画像の中から同一の複写画像をグループ化して、グループ化された複数の複写画像の中から代表画像を決定する。より具体的には、保管された複写画像が画像１〜１００まであったとすると、まず画像１を（予め画像１から画像１００の特徴量が保管部１０２−２にＤＢとして登録されている）保管部１０２−２のＤＢを参照し、所定閾値よりも類似度が近い画像を同じグループの画像として記憶しておく。そして、すでにグルーピング化されたグループの画像に含まれていない場合、ここでは画像１と同じグループに画像２が含まれていない場合、画像２について保管部１０２−２のＤＢを参照する。一方、すでにグルーピングされた画像、画像１と画像２が同じグループに含まれていた場合は、画像２は保管部１０２−２のＤＢは参照せずに、次の画像３を処理していく。このように最後の画像１００まで処理を行うことで、保管部１０２−２のＤＢを利用したグルーピングが可能となる。
【００６４】
そしてグループイングされれば、複写機１は、グルーピングされた同一画像群の中から、一の代表画像（及びその同一画像数）だけを画像検索装置２に送信する。
【００６５】
このように本実施形態４によれば、グルーピングの際、保管部１０２−２のＤＢを利用することで、複写が見開きで行われたり、著作出版物の一部分のみ複写利用されたり、拡大や縮小で複写された際にも、全体画像と一部画像が混在する複写画像において、全体画像と一部画像とのグルーピングが可能となる。ＭＭＲ技術によれば、任意の部分画像から全体画像の特定（照合）ができるためである。即ちよりグルーピングの精度を向上させることができる。
【００６６】
[総括]
以下、本実施形態にかかる複写管理システム１００の作用効果について説明する。
【００６７】
本実施形態に係る複写管理システムの構成においては、複写機、記憶装置及び画像検索装置を含み構成され、前記複写機により複写された複写画像と、前記記憶装置に記憶され前記画像検索装置により検索された画像とを照合して、前記複写機により複写された複写画像を特定する複写管理システムであって、前記複写機は、出版物を含む複写物を複写して、複写画像を取得する複写手段を有し、前記記憶装置は、出版物に含まれる画像と、当該出版物の書誌情報とを対応付けて記憶した記憶手段を有し、前記画像検索装置は、前記記憶手段に記憶された出版物に含まれる画像から、前記複写手段により複写された複写画像を検索する検索手段と、前記検索手段により検索された出版物に含まれる画像に対応付けられた出版物の書誌情報を取得して、前記複写手段により複写された複写画像を特定する複写画像特定手段とを有する。
【００６８】
このため、この構成によれば、複写機１により複写利用された著作出版物の、少なくとも著作権者、複写利用ページ、その利用回数が特定できる。従って当該システムを利用すれば、著作権管理団体は、利用者によって包括的に支払われた使用料の中から、複写利用の実績に応じて、適切に著作物使用料を各々の著作権者へ分配することができる。なお、著作出版物から一旦複写された複写原稿から、さらなる複写利用がなされた場合（間接複写）、この場合もまた著作出版物の利用に該当するので、やはり同様に、複写機１により複写利用された著作出版物の、少なくとも著作権者、複写利用ページ、その利用回数が特定できる。また、出版物は非常に数が多い中において、出版時に全ての出版物に対して電子透かし等の情報の埋め込みを行う作業もなく必要であり、既に出版されてしまった過去の出版物の特定も可能である。
【００６９】
また、本実施形態に係る複写管理システム装置の構成において、前記記憶装置の前記記憶手段は、出版物に含まれる画像の一部である部分画像と、当該出版物の書誌情報とを対応付けて記憶し、前記画像検索装置の前記検索手段は、前記記憶手段に記憶された前記部分画像から、前記複写手段により複写された複写画像を検索し、前記複写画像特定手段は、前記検索手段により検索された前記部分画像に対応付けられた出版物の書誌情報を取得して、前記複写手段により複写された複写画像を特定する。
【００７０】
このため、この構成によれば、複写が著作出版物の任意の一部分のみ複写されたり、拡大や縮小で複写された際、部分画像（複写部分画像）から、原本画像の検索（照合）が可能となるので、当該部分画像に基づいて、複写機１により複写利用された著作出版物の、少なくとも著作権者、複写利用ページ、その利用回数が特定できる。また同様に、当該システムを利用すれば、著作権管理団体は、利用者によって包括的に支払われた使用料の中から、複写利用の実績に応じて、適切に著作物使用料を各々の著作権者へ分配することができる。なお、著作出版物から一旦複写された複写原稿から、さらなる複写利用がなされた場合（間接複写）、この場合もまた著作出版物の利用に該当するので、やはり同様に、複写機１により複写利用された著作出版物の、少なくとも著作権者、複写利用ページ、その利用回数が特定できる。また、出版物は非常に数が多い中において、出版時に全ての出版物に対して電子透かし等の情報の埋め込みを行う作業もなく必要であり、既に出版されてしまった過去の出版物の特定も可能である。
【００７１】
また、本実施形態に係る複写管理システム装置の構成において、前記複写機は、前記複写手段により取得された複写画像を複数保管する保管手段と、前記保管手段により保管された複数の複写画像の中から同一の複写画像をグループ化して、グループ化された複数の複写画像の中から代表画像を決定するグループ化手段とを有し、前記画像検索装置の前記検索手段は、前記複写画像に代えて前記代表画像を、前記記憶手段に記憶された出版物に含まれる画像から検索する。
【００７２】
このため、この構成によれば、複写機１は複写利用された複写画像を一定期間保管し、保管された複写画像の中から同一の画像をまとめてグルーピングを行い、またグルーピングされた同一画像群の中から、一の代表画像（及びその同一画像数）だけを画像検索装置２に送信するので、画像検索装置２における画像検索回数を削減でき、複写管理システムとしての負荷を軽減させることができる。
【００７３】
また、本実施形態に係る複写管理システム装置の構成において、前記グループ化手段は、前記保管手段により保管された複数の複写画像において、複写画像と、当該複写画像の部分画像とを、同一グループに属する複写画像としてグループ化する。
【００７４】
このため、この構成によれば、複写が見開きで行われたり、著作出版物の一部分のみ複写利用されたり、拡大や縮小で複写された際、全体画像と一部画像が混在する複写画像において、全体画像と一部画像とのグルーピングが可能となる。即ちよりグルーピングの精度を向上させることができる。
【００７５】
以上、図面を参照して本発明の実施形態について述べたが、これらは本発明の例示であり、以上以外にも様々な構成を採用することもできる。
【００７６】
例えば、上述の如く、利用者からの著作物使用料は包括的契約によるもの（Ｓ２００２）としたのは、現在主に採用されている契約の実態・慣習に沿ったもので、必ずしもこれに限定する意図はなく、例えば、著作権管理団体は、使用実績の情報が通知されてから（Ｓ２００６）、その使用実績に応じて利用者に著作権利用料を請求することも可能である。このように構成すれば、利用実績に応じて著作物使用料が支払われるので、より適切な使用料の授受が可能となる。
【００７７】
また、各実施形態のシステム構成は、あくまで一例であり、各機能部を柔軟に構成することができる。例えば、実施形態３において複写部１０１、保管部１０２及びグループ化部１０３を含む構成として説明したが、言うまでもなく、保管部１０２及びグループ化部１０３の機能は複写機１の外に構成することも可能である。また例えば、画像検索装置２、著作出版物ＤＢ作成装置３、著作出版物ＤＢ４を一体の装置として構成することもできる。
【００７８】
また、各実施形態に係る複写管理システムは、複写機１、画像検索装置２、著作出版物ＤＢ作成装置３、著作出版物ＤＢ４を含む構成により実現されるが、各装置のハードウェアとしては、一般的な情報処理装置（ＰＣ等）によるハードウェアを適用することができる。例えば、各装置は、ＣＰＵ、ＲＡＭ、ＲＯＭ、ＨＤＤといったハードウェアを備え、またディスプレイ、マウスやキーボードが付されてもよい。
【００７９】
以上、上記本実施形態によれば、出版物の複写利用に際し、どの出版物の、どのページが、どれだけの回数だけ複写されたか等、出版物の使用実績を特定する複写管理システム、複写管理方法及びプログラムを提供することが可能となる。本発明は係る特定の実施形態に限定されるものではなく、特許請求の範囲に記載された本発明の要旨の範囲内において、種々の変形・変更が可能である。
【符号の説明】
【００８０】
１        複写機
２        画像検索装置
３        著作出版物ＤＢ作成装置
４        著作出版物ＤＢ
５        紙文書
１００    複写管理システム
１０１    複写部
１０２    保管部
１０３    グループ化部
２０１    画像検索部
２０２    画像特定部
【先行技術文献】
【特許文献】
【００８１】
【特許文献１】特開２００３−１７４５３１号公報
【図１】
0005434458.tif 000002
【図２】
0005434458.tif 000003
【図３】
0005434458.tif 000004
【図４】
0005434458.tif 000005
【図５】
0005434458.tif 000006
【図６】
0005434458.tif 000007
【図７】
0005434458.tif 000008
【図８】
0005434458.tif 000009
【図９】
0005434458.tif 000010